(57)【要約】【課題】  比較的簡単な構成で原稿搬送中に原稿のペーパエッジで発生する紙粉の蓄積を防止し、その紙粉に起因する縦スジの発生等による画質の低下を効果的に防止できる画像読取装置及び画像形成装置を提供すること。【解決手段】  複写機１は、原稿給送部２００から供給されて第２プラテンガラス３０３上で所定速度にて移動する原稿Ｐを、この第２プラテンガラス３０３の下方に位置する画像読取部３００で読み取るもので、少なくとも原稿給送部２００から第２プラテンガラス３０３までの搬送経路２０３における幅方向の原稿位置を１ジョブごとに切替可能な原稿位置切替手段２５１〜２５５を備えてなっている。【選択図】  図３
2006264945.tif 000002
【特許請求の範囲】
【請求項１】
原稿積載テーブルから供給されてコンタクトガラス上で所定速度にて移動する原稿を、このコンタクトガラスの下方に位置する原稿読取手段で読み取る画像読取装置であって、
少なくとも原稿積載テーブルからコンタクトガラスまでの原稿移動ルートにおける原稿の幅方向の位置を切替可能な原稿位置切替手段を備えたことを特徴とする画像読取装置。
【請求項２】
原稿位置切替手段は、原稿積載テーブルを原稿の幅方向に移動可能に支持する支持部材と、原稿積載テーブルをこの支持部材上で原稿の幅方向に移動させるテーブル移動手段を備えたことを特徴とする請求項１記載の画像読取装置。
【請求項３】
テーブル移動手段は、原稿積載テーブルにおける原稿の幅方向に複数の歯面が列設されたラックと、ラックに噛合するピニオンと、ピニオンを回転駆動するモータと、モータの回転動作を制御する制御手段を備えたことを特徴とする請求項２記載の画像読取装置。
【請求項４】
制御手段は、原稿読取のジョブ単位で原稿積載テーブルにおける原稿の幅方向の位置を切り替えるようにモータの回転動作を制御することを特徴とする請求項３記載の画像読取装置。
【請求項５】
制御手段は、所定の原稿搬送枚数ごとに原稿積載テーブルにおける原稿の幅方向の位置を切り替えるようにモータの回転動作を制御することを特徴とする請求項３記載の画像読取装置。
【請求項６】
請求項２〜５のいずれか１項に記載の画像読取装置により読み取った原稿の画像を記録紙へ書き出すための書出手段を備え、前記原稿積載テーブルの移動量に応じて書出手段による前記画像の書き出し位置を変化させることを特徴とする画像形成装置。
【発明の詳細な説明】
【技術分野】
【０００１】
本発明は、原稿積載テーブルから供給されてコンタクトガラス上で所定速度にて移動する原稿を、このコンタクトガラスの下方に位置する画像読取手段で読み取る画像読取装置及び画像形成装置に関し、特に複写機、ＦＡＸ、複合機等の画像形成装置の画像読取装置に好適である。
【背景技術】
【０００２】
自動原稿搬送装置（ＡＤＦ；Auto Document Feeder）から供給されてコンタクトガラス上で所定速度にて移動する原稿を、コンタクトガラスの下方に位置する画像読取部で読み取る、いわゆるシートスルー方式の画像読取装置が知られている。
【０００３】
このような画像読取装置では、ＡＤＦで自動的にコンタクトガラス上に搬送されてくる原稿は、コンタクトガラスとの接触により、その先端の左右両端（ペーパエッジ）が欠落して紙粉を発生する。しかも、原稿が連続して搬送される場合には、その左右両端に沿うように紙粉がコンタクトガラス上に蓄積することとなる。そして、次のジョブ等にて、より大きいサイズの原稿が搬送される場合には、原稿幅内に前記蓄積された紙粉があるので、その紙粉を文字等の画像として読み取る結果、縦スジの発生等による画質の低下が懸念される。
【０００４】
そこで、清掃パッドを用いてコンタクトガラスを手動で清掃する技術や、清掃ローラを用いてコンタクトガラスを自動的に清掃する技術が開発されている（例えば、特許文献１，２参照）。
【特許文献１】特開平９−８３７４４号公報
【特許文献２】特開２００２−２５８５４５号公報
【発明の開示】
【発明が解決しようとする課題】
【０００５】
しかし、従来技術のように、ＡＤＦの狭い原稿搬送スペース内にあるコンタクトガラス上に清掃パッドや清掃ローラ等の清掃手段を設けることは、装置の大型化を招くといった問題がある。また、清掃パッドを用いて手動で清掃する場合には手間がかかり、清掃ローラを用いて自動的に清掃する場合には装置が大掛かりとなってコストアップを招くといった問題もある。
【０００６】
本発明は上記事情に鑑みてなされたもので、比較的簡単な構成で原稿搬送中に原稿のペーパエッジで発生する紙粉の蓄積を防止し、その紙粉に起因する縦スジの発生による画質の低下等を効果的に防止できる画像読取装置及び画像形成装置を提供することを目的とする。
【課題を解決するための手段】
【０００７】
本発明は、原稿積載テーブルから供給されてコンタクトガラス上で所定速度にて移動する原稿を、このコンタクトガラスの下方に位置する原稿読取手段で読み取る画像読取装置であって、少なくとも原稿積載テーブルからコンタクトガラスまでの原稿移動ルートにおける原稿の幅方向の位置を切替可能な原稿位置切替手段を備えたことを特徴とするものである。
【０００８】
請求項２記載の発明のように、原稿位置切替手段は、原稿積載テーブルを原稿の幅方向に移動可能に支持する支持部材と、原稿積載テーブルをこの支持部材上で原稿の幅方向に移動させるテーブル移動手段を備えることが好ましい。
【０００９】
請求項３記載の発明のように、テーブル移動手段は、原稿積載テーブルにおける原稿の幅方向に複数の歯面が列設されたラックと、ラックに噛合するピニオンと、ピニオンを回転駆動するモータと、モータの回転動作を制御する制御手段を備えることが好ましい。
【００１０】
通常、原稿読取はジョブ単位で行われる。そこで、請求項４記載の発明のように、制御手段は、原稿読取のジョブ単位で原稿積載テーブルにおける原稿の幅方向の位置を切り替えるようにモータの回転動作を制御することが好ましい。
【００１１】
また、ジョブ当たりの原稿搬送枚数は、そのジョブごとに大きく異なることがある一方、コンタクトガラス上に蓄積される紙粉の量は原稿搬送枚数に比例して増大すると考えられる。そこで、請求項５記載の発明のように、制御手段は、所定の原稿搬送枚数ごとに原稿積載テーブルにおける原稿の幅方向の位置を切り替えるようにモータの回転動作を制御することとしてもよい。
【００１２】
本発明の画像形成装置は、請求項２〜５のいずれか１項に記載の画像読取装置により読み取った原稿の画像を記録紙へ書き出すための書出手段を備え、前記原稿積載テーブルの移動量に応じて書出手段による前記画像の書き出し位置を変化させることを特徴とするものである。
【発明の効果】
【００１３】
本発明によれば、少なくとも原稿積載テーブルからコンタクトガラスまでの原稿移動ルートにおける原稿の幅方向の位置を切替可能な原稿位置切替手段が備えられたので、ＡＤＦで自動的にコンタクトガラス上に搬送されてくる原稿は、コンタクトガラスとの接触により、その先端の左右両端が欠落して紙粉を発生したとしても、次に搬送されてくる原稿の幅方向の位置を切り替えることで、その原稿の先端によって、前記発生した紙粉がコンタクトガラス上から除去され或いは分散されることとなる。したがって、コンタクトガラス上に紙粉が蓄積することが防止されるようになり、その紙粉を文字等の画像として読み取ることがなくなる結果、縦スジの発生等による画質の低下が防止される。しかも、従来技術の清掃パッドを用いて手動で清掃する場合のように手間がかかることがなく、清掃ローラを用いて自動的に清掃する場合のように装置が大掛かりとなってコストアップを招くといった問題もない。
【００１４】
請求項２記載発明によれば、原稿位置切替手段として、原稿積載テーブルを原稿の幅方向に移動可能に支持する支持部材と、原稿積載テーブルをこの支持部材上で原稿の幅方向に移動させるテーブル移動手段が備えられので、ＡＤＦの狭い原稿搬送スペース内にあるコンタクトガラス上に何ら掃除手段を設ける必要がなくなり、装置の大型化を招くことがない。
【００１５】
請求項３記載の発明によれば、テーブル移動手段として、原稿積載テーブルにおける原稿の幅方向に複数の歯面が列設されたラックと、ラックに噛合するピニオンと、モータの回転動作を制御する制御手段が備えられたので、比較的簡単な構成でコンタクトガラスの上面を自動的に清掃できるようになる。
【００１６】
請求項４記載の発明によれば、制御手段により、原稿読取のジョブ単位で原稿積載テーブルにおける原稿の幅方向の位置を切り替えるようにモータの回転動作が制御されるので、コンタクトガラス上に紙粉が過大に蓄積される前にそれを除去或いは分散することができる。したがって、その除去等の際にコンタクトガラスを傷つけるおそれが少なくなる結果、装置寿命が長くなる。
【００１７】
請求項５記載の発明によれば、制御手段により、所定の原稿搬送枚数ごとに原稿積載テーブルにおける原稿の幅方向の位置を切り替えるようにモータの回転動作が制御されるので、コンタクトガラス上に紙粉が過大に蓄積される前にそれをより確実に除去或いは分散することができる。したがって、その除去等の際にコンタクトガラスを傷つけるおそれが一層少なくなる結果、装置寿命がさらに長くなる。
【００１８】
本発明の画像形成装置によれば、請求項２〜５のいずれか１項に記載の画像読取装置により読み取った原稿の画像を記録紙へ書き出すための書出手段が備えられ、前記原稿積載テーブルの移動量に応じて書出手段による前記画像の書き出し位置が変化させられるので、原稿の幅方向の移動に伴う記録画像の補正が行われ、画質への影響をなくすことができる。
【発明を実施するための最良の形態】
【００１９】
図１は、本発明の一実施形態に係る複写機の断面図、図２は、図１に示す原稿給送部２００の部分拡大図である。図１，２に示すように、この複写機（画像形成装置の一例）１は、画像形成部１００、画像形成部１００を備える本体部１０の上方に設置された原稿給送部（ＡＤＦ）２００、本体部１０の上部に設置された原稿読取手段としての原稿読取部３００、本体部１０の下部に設置された給紙部４００、本体部１０のフロント部に設置された操作表示部５００を備えている。
【００２０】
原稿読取部３００は、原稿の読み取りを行って当該原稿に対応する画像データを生成するものである。原稿読取部３００は、光学的に取得した原稿の画像から画像データを生成するＣＣＤ（Charge Coupled Device）センサ及び露光ランプ等を備えたスキャナ３０１などからなり、その上面に、装置原稿読み取り用の第１プラテンガラス３０２と、ＡＤＦ原稿読み取り用の第２プラテンガラス（コンタクトガラス）３０３とを備えている。原稿読取部３００は、第１プラテンガラス３０２上に載置された原稿、あるいは原稿給送部２００によって第２プラテンガラス３０３に接するようにして搬送（移動）される原稿を走査しつつ取得した画像データを後述する制御部２０へ出力する。
【００２１】
原稿給送部２００は、自動的に原稿読取部３００（第２プラテンガラス３０３の原稿読み取り位置）へ原稿Ｐを給送するとともに当該原稿読取部３００によって読み取られた原稿を原稿給送部２００の排出部へ排出するものである。原稿給送部２００は、原稿Ｐを載置する原稿トレイ（原稿載置テーブル）２０１、原稿トレイ２０１から原稿Ｐを搬入させる搬入ローラ２０２、搬送経路（原稿移動ルート）２０３、搬入ローラ２０２により搬入されてきた原稿Ｐを第２プラテンガラス３０３に案内する搬送ローラ２０４，２０５、搬送ローラ２０４，２０５で第２プラテンガラス３０３上に案内されて、原稿読取部３００によって読み取られた原稿Ｐを排出させる排出ローラ２０６、及び排出ローラ２０６により排出された原稿Ｐを載置（積載）する原稿排出トレイ２０７等を備えて構成されている。これらのうち、搬入ローラ２０２、搬送経路２０３、搬送ローラ２０４，２０５及び排出ローラ２０６は、第２プラテンガラス３０３を覆うように形成された筐体２００ａ内に装備されている。これにより、原稿給送部２００は、コピー開始の指示入力等に応じて、原稿トレイ２０１に載置された原稿Ｐを自動的に１枚ずつ第２プラテンガラス３０３に接触させつつ搬送し、この位置での原稿の露光走査（読み取り）後に原稿排出トレイ２０７上へ排出させるいわゆるシートスルー方式の原稿読み取りを実現するようになっている。
【００２２】
また、原稿給送部２００は、例えば装置の背面側を回動支軸として本体部１０（原稿読取部３００）の上面に対して可倒式に構成されており、第１プラテンガラス３０２（第２プラテンガラス３０３）の上面を開放するように上方かつ後方側に開くように持ち上げることにより、第１プラテンガラス３０２の上面に、例えば見開き状態にされた書籍等の読み取り用原稿を載置することが可能に構成されている。
【００２３】
給紙部４００は、画像形成部１００に対して用紙の給紙を行うものである。給紙部４００は、各サイズの用紙（記録紙）が収納される給紙カセット４０１，４０２、及び本体部１０の一側方部に開閉自在に構成された手差しトレイ４０３１等からなる手差し給紙部４０３を備えている。また、給紙部４００は、給紙カセット４０１，４０２から画像形成部１００へ用紙を搬送する搬送経路４０４、手差し給紙部４０３から画像形成部１００へ用紙を搬送する搬送経路４０５を備えている。各給紙カセット４０１，４０２及び手差し給紙部４０３は、収納されている用紙を取り出すためのピックアップローラ４０６，４０７，４０８、用紙を１枚ずつ各搬送経路に送り出す給紙ローラ４０９，４１０，４１１を備えている。搬送経路４０４には、用紙を搬送する搬送ローラ４１２，４１３、及び搬送されてくる用紙を画像形成部１００の手前で待機させるためのレジストローラ４１４が設けられている。なお、搬送経路４０５は、レジストローラ４１４の上流側で搬送経路４０４と合流している。
【００２４】
画像形成部１００は、給紙部４００によって搬送されてきた用紙に対して所定の画像を形成する（印刷する）ものである。画像形成部１００は、同図中に示す矢印方向に回転可能に支持された感光体ドラム１０１、この感光体ドラム１０１の周囲に配設された帯電部１０２、現像部１０３、クリーニング部１０４、レーザ走査ユニット（書込手段）１０５及び転写ローラ１０６、転写ローラ１０６の下流側に配設された定着ローラ１０７を備えている。
【００２５】
帯電部１０２は、感光体ドラム１０１の表面を所定電位に均一に帯電させるものである。レーザ走査ユニット１０５は、後述する画像記憶部３０等から送信されてきた画像データに基づき、レーザービームを感光体ドラム１０１の表面に照射し、感光体ドラム１０１表面に静電潜像を形成する（書き込む）ものである。現像部１０３は、静電潜像にトナーを付着させて画像を顕在化させるものである。転写ローラ１０６は、搬送されてきた用紙を感光体ドラム１０１に押し付けた状態で、感光体ドラム１０１上に顕在化したトナー像を当該用紙に転写するものである。定着ローラ１０７は、用紙に転写されたトナー像を定着させるものである。定着ローラ１０７は、図略のヒートローラ及び圧ローラからなり、このヒートローラの熱によって用紙上のトナーを溶かし、圧ローラによって圧力をかけてトナーを用紙上に定着させる。クリーニング部１０４は、用紙への画像の転写が終了した後、感光体ドラム１０１の表面に残留しているトナーを清掃するものである。
【００２６】
本体部１０の上部及び側面部には、用紙排出トレイ１０８，１０９が設けられており、定着ローラ１０７から搬送されてきた用紙は、それぞれ排出ローラ１１０，１１１によって用紙排出トレイ１０８，１０９へ排出される。なお、用紙の搬送方向は、排出分岐ガイド１１２によって、排出ローラ１１０側と排出ローラ１１１側とに切替可能に構成されている。
【００２７】
操作表示部５００は、ユーザの操作に応じて所定の指示入力を行うものである。操作表示部５００は、ユーザが印刷実行指示を入力するためのスタートキー５０１と、印刷部数等を入力するためのテンキー５０２と、各種複写動作の設定等を入力するための操作ガイド情報等を表示すると共に、種々の操作ボタン等が表示される液晶表示器（ＬＣＤ）等からなる表示器５０３とを備えている。
【００２８】
以下、本発明の特徴をなす原稿給送部２００のテーブル移動機構２５０について詳述する。図３は、原稿給送部２００のテーブル移動機構２５０を示す図であって、（ａ）は全体斜視図、（ｂ）はその部分拡大図である。図３（ａ）に示すように、原稿給送部２００の原稿位置切替手段としてのテーブル移動機構２５０は、原稿トレイ２０１を支持部材２５１上で同図中のＡ方向に移動させるものであり（テーブル移動手段）、図１で説明した符号２０２〜２０７の各構成部の他に第１蓋部材２０８及び第２蓋部材２０９を備えている。第１蓋部材２０８は、前述したように原稿給送部２００を本体部１０（原稿読取部３００）の上面に対して可倒式に構成するためのもので、原稿排出トレイ２０７の排出原稿積載面（斜面）に沿って該排出原稿積載面を覆うように蓋をすることが可能に形成された蓋状体であるとともに、原稿排出トレイ２０７のトレイ面を兼ねるものである（第１蓋部材２０８の上面に、排出されてきた原稿が積載される）。第１蓋部材２０８は、上面視略長方形の板状体（平板体）からなる蓋本体と、排出口から排出されてくる原稿をガイドし、且つ蓋本体の補強材として機能する搬送方向に延設（並設）された複数本のリブ体とからなる。第２蓋部材２０９は、第１蓋部材２０８の上面において前記筐体２００ａを構成するものであって、第１蓋部材２０８の回動支軸と直角方向の回動支軸を有しており、この回動支軸回りに第２蓋部材２０９を回動させることで、搬入ローラ２０２、搬送経路２０３等の大半を開放状態とすることができる。そして、第２蓋部材２０９により、第１蓋部材２０８の上方に延設される原稿トレイ２０１が支持されている。
【００２９】
このため、図３（ａ）（ｂ）に示すように、第２蓋部材２０９の原稿トレイ２０１と対向する部位には、凹部２５０ａが形成されている。この凹部２５０ａは、原稿トレイ２０１へ向けて開口した例えば正面視略長方形に凹設されてなるものであり、第１蓋部材２０８の幅方向の略全域に亘るものである。
【００３０】
第２蓋部材２０９における凹部２５０ａの底部の左右両側には前記正面視でＬ字状をなす支持部材２５１がそれぞれ立設されている。支持部材２５１の上端には、原稿トレイ２０１の幅方向に延設された軸２５２が挿通されており、この軸２５２に沿って原稿トレイ２０１は幅方向（図３（ａ）中のＡ方向）に移動自在となっている。また、原稿トレイ２０１の下方には、該原稿トレイ２０１の幅方向（原稿Ｐの幅方向でもある。）に複数の歯面が列設されたラック２５３が固定されており、このラック２５３に噛合するピニオン２５４がモータ２５５で回転駆動されるようになっている。モータ２５５は、例えばステッピングモータであって、その回転角度を検出するための例えばエンコーダであるセンサ２５６が付設されている。
【００３１】
すなわち、モータ２５５は、前記センサ２５６からの信号を受けた後述する制御部からの指令により、モータ２５５の回転角度をフィードバックすることで、そのモータ２５５の駆動軸に取り付けられたピニオン２５４を所定角度だけ回転させ、このピニオン２５４に噛合されるラック２５３を図３（ａ）（ｂ）中のＡ方向に移動させることができる。このラック２５３の移動により、図３（ｃ）に示すように、原稿トレイ２０１を支持部材２５１に挿通された軸２５２に沿って、その原稿トレイ２０１の幅方向の中心線Ｃを中心として、左右にそれぞれＢ寸法づつ移動させることができるようになっている。このＢ寸法は、例えば使用が予定される原稿の最大幅に応じて設定しておけばよい。
【００３２】
原稿トレイ２０１には、該原稿トレイ２０１の幅方向の案内溝２６０が設けられており、この案内溝２６０に案内されて原稿の幅方向の位置合わせを行う仕切板２６１がスライド可能に立設されている。これにより、原稿はその幅方向については仕切板２６１に規制された状態で搬入ローラ２０２、搬送経路２０３等に給送されるようになっている。
【００３３】
図４は、複写機１の機能ブロック図である。図４に示すように、この複写機１は、装置全体の動作を制御する制御部（制御手段）２０を備えている。制御部２０は、複写機１の制御プログラムを記憶するＲＯＭ（Read Only Memory）、一時的にデータを保管するＲＡＭ（Random Access Memory）、及び上記制御プログラム等をＲＯＭから読み出して実行するＣＰＵ（Central Processing Unit）等からなり、操作表示部５００等において入力された所定の指示情報や、本装置の適所に設けられた各種センサからの検出信号に応じて装置全体の制御を行うものである。この制御部２０には、上記画像形成部１００、原稿給送部２００、原稿読取部３００、給紙部４００及び操作表示部５００、並びに画像記憶部３０及び画像処理部４０などが電気的に接続されている。
【００３４】
画像記憶部３０は、原稿読取部３００によって読み取られた原稿の画像データや図略のＩ／Ｆ部等を介して外部装置から送信されてきた画像データを一時的に記憶するメモリである。画像処理部４０は、上記画像データに対する各種画像処理、例えばガンマ処理や拡大縮小処理を行うものである。画像処理部４０では、例えば原稿読取部３００による読み取りによって得られた原稿画像に対する画像データのＡ／Ｄ変換が行われ、当該Ａ／Ｄ変換された画像データを用いて上記各種画像処理が行われる。
【００３５】
原稿給送部２００のモータ２５５は正逆回転を繰り返すようになっており、そのタイミングは、例えば１ジョブごとに切替られるようになっている。原稿読取部３００は、この原稿給送部２００のモータ２５５の正逆回転に応じて原稿の幅方向に移動する原稿を読み取り、その画像データに基づいて画像形成部１００のレーザ走査ユニット１０５による書き込みを行うようになっている。
【００３６】
また、制御部２０は、例えばＲＯＭに記憶しておいた原稿トレイ２０１のホームポジション（例えば図３（ｃ）の中心線Ｃ）を読み出すことにより、そのホームポジションを認識し、センサ２５６で検出されたモータ２５５の回転情報（回転角度）に基づく前記原稿テーブル２０１のホームポジションからの移動情報（例えば図３（ｃ）の移動量Ｂとその移動方向）をフィードバックすることにより、前記レーザ走査ユニット１０５による書込位置を制御するようになっている。これにより、原稿Ｐの幅方向の移動に伴う記録画像の補正が行われ、画質への影響をなくすことができる。
【００３７】
図５は、複写機１の動作例を示す図である。以下、複写機１の動作について、図５を基に、図１〜４を適宜参照しつつ説明する。図３（ｃ）に示すように、原稿Ｐは原稿トレイ２０１上の仕切板２６１でその幅方向の移動が規制されており、最初は原稿Ｐの幅方向の中心位置が中心線Ｃと一致している（すなわち、ホームポジションにある）ものとする。この状態から図１，２の搬入ローラ２０２で搬送経路２０３内に搬入された原稿Ｐは、搬送ローラ２０４，２０５で搬送されて第２プラテンガラス３０３上に到達する。
【００３８】
このようにして、図５（ａ）に示すように、最初のジョブの原稿Ｐが、第２プラテンガラス３０３に到達すると、その原稿Ｐの先端が第２プラテンガラス３０３の上面に接触する。この接触により、原稿Ｐの先端の左右両端が欠落して紙粉が発生する。そして、同一サイズの原稿Ｐを繰り返し第２プラテンガラス３０３に接触させることにより、その紙粉が第２プラテンガラス３０３の上面に蓄積し、図中のＴ１で示すような直線状のスジとなって顕在化されるようになる。なお、同時に原稿Ｐの陰にあって図中では見えないＴ２のスジも顕在化されるようになる。
【００３９】
この場合でも、同一サイズの原稿Ｐを繰り返し給送しているので、その原稿Ｐの幅方向の中間部にはスジが入らず、したがって画像読取部で読み取られた画像データにもそのスジが入らないことから、画質の低下は発生しない。ところが、より大きなサイズの原稿が第２プラテンガラス３０３に接触すると、それまでに蓄積された紙粉によるスジＴ１，Ｔ２が画像読取部で読み取られ、画像データにそのスジＴ１，Ｔ２が入って、画質の低下となり、その過大に蓄積された紙粉の除去する際に第２プラテンガラス３０３を傷つけるおそれがある点については、背景技術で述べたとおりである。
【００４０】
このため、本実施形態では、次のジョブの原稿Ｐについては、図４の制御部２０からの指令により、図３（ｂ）に示すように、原稿給送部２００のモータ２５５を紙面に向かって反時計方向（同図中のＤ１方向）に回転駆動して、ピニオン２５４の同方向の回転力により、ラック２５３を右方向（同図中のＡ１方向）に移動させる。すると、このラック２５３の移動により、原稿トレイ２０１も同方向に移動して図３（ｃ）中のＢ寸法だけ右側に移動する。この移動により、原稿Ｐは原稿トレイ２０１上で仕切板２６１に規制されているから、原稿トレイ２０１とともに原稿Ｐの幅方向の中心位置が中心線ＣからＢ寸法だけ右側にずれた位置に移動する。この状態で先行の原稿Ｐの読取が終了するまで（所定期間だけ）一旦停止された後に、図１，２の搬入ローラ２０２で搬送経路２０３内に搬入された原稿Ｐは、搬送ローラ２０４，２０５で搬送されて第２プラテンガラス３０３上に到達する。
【００４１】
このようにして、図５（ｂ）に示すように、次のジョブの原稿Ｐを第２プラテンガラス３０３上で同図中の右側に移動させる。すると、その原稿Ｐの先端が第２プラテンガラス３０３上に蓄積された紙粉からなるスジＴ２にかかり、当該原稿Ｐの先端で紙粉を掬い取るように除去し或いは第２プラテンガラス３０３上に分散させる。除去された紙粉は、図１，２の排出ローラ２０６により原稿Ｐの原稿読取面（下面）とは反対側（上面）で運ばれてその原稿Ｐとともに排紙トレイ２０７に排出されるようになっている。この場合、図５（ｂ）における原稿Ｐの先端からは、新たな紙粉が発生するから、その原稿Ｐの後に新たなスジＴ３が顕在化することになる。なお、同時に原稿Ｐの陰にあって同図中では見えないＴ４のスジも顕在化されるようになる。そして、図４の制御部２０は、原稿読取部３００により第２プラテンガラス３０３の下方からその上面を通過する原稿を読み取り、その画像データに基づいて画像形成部１００のレーザ走査ユニット１０５による書き込みを行う際に、ＲＯＭに記憶しておいた原稿トレイ２０１のホームポジションを読み出すことにより、そのホームポジションを認識し、モータ２５５の回転情報に基づく前記原稿テーブル２０１のホームポジションからの移動情報をフィードバックすることにより、前記レーザ走査ユニット１０５による書込位置を制御する。これにより、原稿Ｐの幅方向の移動に伴う記録画像の補正が行われる。
【００４２】
その次のジョブの原稿Ｐについては、図４の制御部２０は、図３（ｂ）に示すように、原稿給送部２００のモータ２５５を紙面に向かって時計方向（同図中のＤ２方向）に回転駆動して、ピニオン２５４の同方向の回転力により、ラック２５３を同図中の左方向（同図中のＡ２方向）に移動させる。すると、このラック２５３の移動により、原稿トレイ２０１も同方向に移動して図３（ｃ）中のＢ寸法だけ左側に移動して元の位置に戻る。この移動により、原稿Ｐは原稿トレイ２０１上で仕切板２６１に規制されているから、原稿トレイ２０１とともに原稿Ｐの幅方向の中心位置が中心線Ｃに一致した位置（すなわち、ホームポジション）に戻る。この状態で前記所定期間だけ一旦停止された後に、図１，２の搬入ローラ２０２で搬送経路２０３内に搬入された原稿Ｐは、搬送ローラ２０４，２０５で搬送されて第２プラテンガラス３０３上に到達する。
【００４３】
このようにして、図５（ｃ）に示すように、原稿Ｐを第２プラテンガラス３０３上で同図中の左側に移動させて、もとの位置に復帰させる。すると、今度は原稿Ｐの先端が第２プラテンガラス３０３上に蓄積された紙粉からなるスジＴ３にかかり、その原稿Ｐの先端で紙粉を掬い取るように除去し、或いは第２プラテンガラス３０３上に分散させる。除去された紙粉は、図１，２の排出ローラ２０６により原稿Ｐの原稿読取面（下面）とは反対側（上面）で運ばれてその原稿Ｐとともに排紙トレイ２０７に排出されるようになっている。この場合、原稿Ｐの先端からは、新たな紙粉が発生するから、その原稿Ｐの後に新たなスジＴ２が顕在化することになる。そして、図４の制御部２０は、原稿読取部３００により第２プラテンガラス３０３の下方からその上面を通過する原稿を読み取り、その画像データに基づいて画像形成部１００のレーザ走査ユニット１０５による書き込みを行う際に、ＲＯＭに記憶しておいた原稿トレイ２０１のホームポジションを読み出すことにより、そのホームポジションを認識し、モータ２５５の回転情報に基づく前記原稿テーブル２０１のホームポジションからの移動情報をフィードバックすることにより、前記レーザ走査ユニット１０５による書込位置を制御する。これにより、原稿Ｐの幅方向の移動に伴う記録画像の補正が行われる。
【００４４】
その次のジョブの原稿Ｐについては、図４の制御部２０は、図３（ｂ）に示すように、原稿給送部２００のモータ２５５をさらに時計方向（同図中のＤ２方向）に回転駆動して、ピニオン２５４の同方向の回転力により、ラック２５３を同図中の左方向（同図中のＡ２方向）に移動させる。すると、このラック２５３のさらなる移動により、原稿トレイ２０１も同方向に移動して図３（ｃ）中のＢ寸法だけ左側に移動する。この移動により、原稿Ｐは原稿トレイ２０１上で仕切板２６１に規制されているから、原稿トレイ２０１とともに原稿Ｐの幅方向の中心位置が中心線ＣからＢ寸法だけ左側にずれた位置に移動する。この状態から前記所定期間だけ一旦停止された後に、図１，２の搬入ローラ２０２で搬送経路２０３内に搬入された原稿Ｐは、搬送ローラ２０４，２０５で搬送されて第２プラテンガラス３０３上に到達する。
【００４５】
このようにして、図５（ｄ）に示すように、原稿Ｐを第２プラテンガラス３０３上で同図中のさらに左側に移動させる。すると、今度は原稿Ｐの先端が第２プラテンガラス３０３上に蓄積された紙粉からなるスジＴ１にかかり、その原稿Ｐの先端で紙粉を掬い取るように除去し、或いは第２プラテンガラス３０３上に分散させる。除去された紙粉は、図１，２の排出ローラ２０６により原稿Ｐの原稿読取面（下面）とは反対側（上面）で運ばれてその原稿Ｐとともに排紙トレイ２０７に排出されるようになっている。この場合、原稿Ｐの先端からは、新たな紙粉が発生するから、その原稿Ｐの後に新たなスジＴ５が顕在化することになる。なお、同時に原稿Ｐの陰にあって同図中では見えないＴ６のスジも顕在化されるようになる。そして、図４の制御部２０は、原稿読取部３００により第２プラテンガラス３０３の下方からその上面を通過する原稿を読み取り、その画像データに基づいて画像形成部１００のレーザ走査ユニット１０５による書き込みを行う際に、ＲＯＭに記憶しておいた原稿トレイ２０１のホームポジションを読み出すことにより、そのホームポジションを認識し、モータ２５５の回転情報に基づく前記原稿テーブル２０１のホームポジションからの移動情報をフィードバックすることにより、前記レーザ走査ユニット１０５による書込位置を制御する。これにより、原稿Ｐの幅方向の移動に伴う記録画像の補正が行われる。
【００４６】
その次のジョブの原稿Ｐについては、図４の制御部２０は、図３（ｂ）に示すように、原稿給送部２００のモータ２５５を反時計方向（同図中のＤ１方向）に回転駆動して、ピニオン２５４の同方向の回転力により、ラック２５３を同図中の右方向（同図中のＡ１方向）に移動させる。すると、このラック２５３の移動により、原稿トレイ２０１も同方向に移動して図３（ｃ）中のＢ寸法だけ右側に移動する。この移動により、原稿Ｐは原稿トレイ２０１上で仕切板２６１に規制されているから、原稿トレイ２０１とともに原稿Ｐの幅方向の中心位置が中心線Ｃと一致した位置に戻る。この状態から前記所定期間だけ一旦停止された後に、図１，２の搬入ローラ２０２で搬送経路２０３内に搬入された原稿Ｐは、搬送ローラ２０４，２０５で搬送されて第２プラテンガラス３０３上に到達する。
【００４７】
このようにして、図５（ｅ）に示すように、原稿Ｐを第２プラテンガラス３０３上で同図中の右側に移動させる。すると、今度は原稿Ｐの先端が第２プラテンガラス３０３上に蓄積された紙粉からなるスジＴ６にかかり、その原稿Ｐの先端で紙粉を掬い取るように除去し、或いは第２プラテンガラス３０３上に分散させる。除去された紙粉は、図１，２の排出ローラ２０６により原稿Ｐの原稿読取面（下面）とは反対側（上面）で運ばれてその原稿Ｐとともに排紙トレイ２０７に排出されるようになっている。この場合、原稿Ｐの先端からは、新たな紙粉が発生するから、その原稿Ｐの後に新たなスジＴ１’が顕在化することになる。なお、同時に原稿Ｐの陰にあって同図中では見えないＴ２’のスジも顕在化されるようになる。そして、図４の制御部２０は、原稿読取部３００により第２プラテンガラス３０３の下方からその上面を通過する原稿を読み取り、その画像データに基づいて画像形成部１００のレーザ走査ユニット１０５による書き込みを行う際に、ＲＯＭに記憶しておいた原稿トレイ２０１のホームポジションを読み出すことにより、そのホームポジションを認識し、モータ２５５の回転情報に基づく前記原稿テーブル２０１のホームポジションからの移動情報をフィードバックすることにより、前記レーザ走査ユニット１０５による書込位置を制御する。これにより、原稿Ｐの幅方向の移動に伴う記録画像の補正が行われる。
【００４８】
以上のように、この複写機１によれば、少なくとも原稿給送部２００から第２プラテンガラス３０３までの搬送経路２０３における幅方向の原稿位置を１ジョブごとに切替可能としたので、ＡＤＦで自動的に第２プラテンガラス３０３上に搬送されてくる原稿Ｐは、第２プラテンガラス３０３との接触により、その左右両端が欠落して紙粉を発生したとしても、次に搬送されてくる原稿Ｐが幅方向に移動するので、その搬送されてくる原稿Ｐの先端によって、前記発生した紙粉が第２プラテンガラス３０３上から除去され、或いは第２プラテンガラス３０３上に分散されることとなる。したがって、第２プラテンガラス３０３上に紙粉が蓄積することが防止されるようになり、その紙粉を文字等の画像として読み取ることがなくなる結果、縦スジの発生等による画質の低下が防止される。また、第２プラテンガラス３０３上に紙粉が過大に蓄積されることがなくなり、その紙粉を除去する際に第２プラテンガラス３０３を傷つけるおそれが少なくなる結果、装置寿命が長くなる。しかも、従来技術の清掃パッドを用いて手動で清掃する場合のように手間がかかることがなく、清掃ローラを用いて自動的に清掃する場合のように装置が大掛かりとなってコストアップを招くといった問題もない。すなわち、原稿Ｐを載置する原稿トレイ２０１と、この原稿トレイ２０１を支持部材２５１上で原稿Ｐの移動方向と直交する方向に移動させるだけでよいので、比較的簡単な構成となる。
【００４９】
なお、上記実施形態では、１ジョブごとに原稿Ｐを幅方向に移動させているが、複数ジョブごとに移動させてもよいし、所定の原稿搬送枚数ごとに移動させてもよい。また、移動幅についても必ずしも左右対称とする必要はない。
【００５０】
また、上記実施形態では、テーブル移動手段として、原稿給送部２００のモータ２５５で駆動されるピニオン２５４とラック２５３とを用いて原稿トレイ２０１を幅方向に移動させているが、このモータ２５５に代えてソレノイド等で原稿トレイ２０１を移動させることとしてもよい。
【００５１】
また、上記実施形態では、複写機１の原稿給送装置を例示しているが、本発明の適用範囲はこれに限定されるものではなく、ＦＡＸ等その他の画像形成装置の原稿給送装置等についても同様に適用することができる。
【図面の簡単な説明】
【００５２】
【図１】本発明の一実施形態に係る複写機の断面図である。
【図２】図１に示す原稿給送部の部分拡大図である。
【図３】原稿給送部の移動機構を示す図であって、（ａ）は全体斜視図、（ｂ）はその部分拡大図である。
【図４】複写機の機能ブロック図である。
【図５】複写機の動作例を示す図である。
【符号の説明】
【００５３】
１  複写機（画像形成装置の一例）
１００  画像形成部
１０５  レーザ走査ユニット（書込手段）
２００  原稿給送部
２０１  原稿トレイ（原稿積載テーブル）
２０２  搬入ローラ
２０３  搬送経路（原稿移動ルート）
２０４  搬送ローラ
２０５  搬送ローラ
２０６  排出ローラ
２０７  原稿排出トレイ
２５０  テーブル移動機構（テーブル移動手段）
２５１  支持部材（原稿位置切替手段）
２５２  軸（原稿位置切替手段、テーブル移動手段）
２５３  ラック（原稿位置切替手段、テーブル移動手段）
２５４  ピニオン（原稿位置切替手段、テーブル移動手段）
２５５  モータ（原稿位置切替手段、テーブル移動手段）
２５６  センサ（原稿位置切替手段、テーブル移動手段）
３００  原稿読取部（原稿読取手段）
３０３  第２プラテンガラス（コンタクトガラス）
【図１】
2006264945.tif 000003
【図２】
2006264945.tif 000004
【図３】
2006264945.tif 000005
【図４】
2006264945.tif 000006
【図５】
2006264945.tif 000007